(57)【要約】【課題】互いに逆方向に回転する一対の回転ブラシを有する床用吸込具であって、床用吸込具の推進作用により使用者の負荷の軽減を図る電気掃除機を提供する。【解決手段】電動送風機２を内蔵する掃除機本体１と、一端が掃除機本体１に接続されるホース５と、ホース５の他端に一端が接続される延長管９と、延長管９の他端に接続される床用吸込具１４とを備え、床用吸込具１４は、底面に吸込口１１を有する吸込具本体１０と、吸込具本体１０内に形成される回転ブラシ収納室１２と、回転ブラシ収納室１２内に、吸込口１１に臨ませて前後方向に略平行に配設され、相互に逆方向に回転する一対の回転ブラシと、回転ブラシを回転駆動する電動機とを有し、一対の回転ブラシは、床用吸込具１４を前方向に進行させる回転方向の回転ブラシの被掃除面との摩擦抵抗を、床用吸込具を後方向に進行させる回転方向の回転ブラシの被掃除面との摩擦抵抗より大きく形成した。【選択図】図５
2012016470.tif 000002
【特許請求の範囲】
【請求項１】
電動送風機を内蔵する掃除機本体と、一端が掃除機本体に接続されるホースと、該ホースの他端に一端が接続される延長管と、該延長管の他端に接続される床用吸込具とを備え、
前記床用吸込具は、底面に吸込口を有する吸込具本体と、該吸込具本体内に形成される回転ブラシ収納室と、該回転ブラシ収納室内に、吸込口に臨ませて前後方向に略平行に配設され、相互に逆方向に回転する一対の回転ブラシと、該回転ブラシを回転駆動する電動機とを有し、
前記一対の回転ブラシは、床用吸込具を前方向に進行させる回転方向の回転ブラシの被掃除面との摩擦抵抗を、床用吸込具を後方向に進行させる回転方向の回転ブラシの被掃除面との摩擦抵抗より大きく形成したことを特徴とする電気掃除機。
【請求項２】
前記一対の回転ブラシはともに、ブラシが配設される芯体と、該芯体の左右両端に嵌着され、床面との接触面に起毛布が配設される円柱体とで構成されており、
前記床用吸込具を前方向に進行させる回転方向の回転ブラシと、前記床用吸込具を後方向に進行させる回転方向の回転ブラシとで、前記起毛布の被掃除面との摩擦抵抗が異なることを特徴とする請求項１記載の電気掃除機。
【請求項３】
前記一対の回転ブラシはともに、ブラシが配設される芯体と、該芯体の左右両端に嵌着され、床面との接触面に起毛布が配設される円柱体とで構成されており、
前記床用吸込具を前方向に進行させる回転方向の回転ブラシと、前記床用吸込具を後方向に進行させる回転方向の回転ブラシとで、前記円柱体の径が異なることを特徴とする請求項１記載の電気掃除機。
【請求項４】
前記床用吸込具を前方向に進行させる回転方向の回転ブラシと、前記床用吸込具を後方向に進行させる回転方向の回転ブラシとで、回転数が異なるように構成されることを特徴とする請求項１記載の電気掃除機。
【請求項５】
前記一対の回転ブラシはともに、ブラシが配設される芯体と、該芯体の左右両端に嵌着され、床面との接触面に起毛布が配設される円柱体とで構成されるとともに、前記ブラシが互いに重なり合うことを特徴とする請求項４記載の電気掃除機。  
【発明の詳細な説明】
【技術分野】
【０００１】
本発明は、電気掃除機に関するものである。
【背景技術】
【０００２】
電気掃除機は、床用吸込具底面に形成した吸込口に回転ブラシを臨ませ、回転ブラシの回転により被掃除面の塵埃を掻き上げて掃除機本体の集塵室内に集塵するようになっている。回転ブラシは、回転ブラシの回転により、床用吸込具を前進させる方向に推進力が作用するように構成され、使用者の掃除時の操作性を向上させるようになっている。
【０００３】
しかしながら、従来の構成では、回転ブラシが一本であるため、被掃除面を一方向から掻き上げるだけであり、掃除作業性が悪いという問題があった。
【０００４】
この問題を解決するため、床用吸込具に互いに逆方向に回転する一対の回転ブラシを配設した電気掃除機が提案された（特許文献１）。
【先行技術文献】
【特許文献】
【０００５】
【特許文献１】特開平０５−１１１４４９
【発明の概要】
【発明が解決しようとする課題】
【０００６】
特許文献１は、一対の回転ブラシによって被掃除面を二方向から掻き上げることができるようになっているが、夫々の回転ブラシによる推進力が相反する方向に作用する。そのため、夫々の回転ブラシと被掃除面との摩擦抵抗が等しいと、床用吸込具を推進する作用が生じず、使用者の掃除操作の負荷を軽減できないという問題があった。
【０００７】
本発明は、上記問題点に鑑みてなされたもので、互いに逆方向に回転する一対の回転ブラシを有する床用吸込具であって、床用吸込具の推進作用により使用者の負荷の軽減を図る電気掃除機を提供することを課題とする。
【課題を解決するための手段】
【０００８】
電動送風機を内蔵する掃除機本体と、一端が掃除機本体に接続されるホースと、該ホースの他端に一端が接続される延長管と、該延長管の他端に接続される床用吸込具とを備え、前記床用吸込具は、底面に吸込口を有する吸込具本体と、該吸込具本体内に形成される回転ブラシ収納室と、該回転ブラシ収納室内に、吸込口に臨ませて前後方向に略平行に配設され、相互に逆方向に回転する一対の回転ブラシと、該回転ブラシを回転駆動する電動機とを有し、前記一対の回転ブラシは、床用吸込具を前方向に進行させる回転方向の回転ブラシの被掃除面との摩擦抵抗を、床用吸込具を後方向に進行させる回転方向の回転ブラシの被掃除面との摩擦抵抗より大きく形成したことを特徴とする。
【０００９】
前記一対の回転ブラシはともに、ブラシが配設される芯体と、該芯体の左右両端に嵌着され、床面との接触面に起毛布が配設される円柱体とで構成されており、前記床用吸込具を前方向に進行させる回転方向の回転ブラシと、前記床用吸込具を後方向に進行させる回転方向の回転ブラシとで、前記起毛布の被掃除面との摩擦抵抗が異なっていることが好ましい。
【００１０】
または、前記一対の回転ブラシはともに、ブラシが配設される芯体と、該芯体の左右両端に嵌着され、床面との接触面に起毛布が配設される円柱体とで構成されており、前記床用吸込具を前方向に進行させる回転方向の回転ブラシと、前記床用吸込具を後方向に進行させる回転方向の回転ブラシとで、前記円柱体の径が異なっていることが好ましい。
【００１１】
または、前記床用吸込具を前方向に進行させる回転方向の回転ブラシと、前記床用吸込具を後方向に進行させる回転方向の回転ブラシとで、回転数が異なるように構成されることが好ましい。
【００１２】
さらに、前記一対の回転ブラシはともに、ブラシが配設される芯体と、該芯体の左右両端に嵌着され、床面との接触面に起毛布が配設される円柱体とで構成されるとともに、前記ブラシが互いに重なり合っていることが好ましい。
【発明の効果】
【００１３】
請求項１によると、床用吸込具には前方へ移動させる推進力が作用するので、床用吸込具の推進作用により使用者の負荷の軽減を図ることができる等の効果を奏する。
【００１４】
請求項２によると、円柱体に配設される起毛布によって、床用吸込具に前方へ移動させる推進力を作用させることができ、回転ブラシのブラシの種類を変える必要がないため、回転ブラシの除塵性能を損なうことなく、床用吸込具の推進作用により使用者の負荷の軽減を図ることができる等の効果を奏する。
【００１５】
請求項３によると、円柱体の径を変えることで、床用吸込具に前方へ移動させる推進力を作用させることができ、回転ブラシのブラシの種類を変える必要がないため、回転ブラシの除塵性能を損なうことなく、床用吸込具の推進作用により使用者の負荷の軽減を図ることができる等の効果を奏する。また、同じ起毛布を円柱体に配設することができ、起毛布の取り違えによる製造不良を防止することができる等の効果を奏する。
【００１６】
請求項４によると、回転ブラシの回転数を変えることで、床用吸込具に前方へ移動させる推進力を作用させることができ、回転ブラシのブラシの種類を変える必要がないため、回転ブラシの除塵性能を損なうことなく、床用吸込具の推進作用により使用者の負荷の軽減を図ることができる等の効果を奏する。また、円柱体と、起毛布と、ブラシとを同じものとすることができ、部品の取り違えによる製造不良を防止することができる等の効果を奏する。
【００１７】
請求項５によると、請求項４の効果に加えて、回転ブラシのブラシ同士が擦れ合うため、回転ブラシのブラシに塵埃が絡まることを防止することができる等の効果を奏する。
【図面の簡単な説明】
【００１８】
【図１】本発明の実施形態における電気掃除機の側面図である。
【図２】同掃除機本体の断面図である。
【図３】同床用吸込具の側方から見た断面図である。
【図４】同床用吸込具の上面図である。
【図５】同床用吸込具の底面側から見た断面図である。
【図６】別の実施形態における床用吸込具の底面側から見た断面図である。
【発明を実施するための形態】
【００１９】
本発明の実施形態について図１乃至図６に基づいて以下に詳述する。
【００２０】
図１に示されるように、１は電動送風機２が内蔵される掃除機本体で、該掃除機本体１内に集塵室３が形成されている。４は前記集塵室３内に着脱自在に収納されるダストカップで、該ダストカップ４内に塵埃を集塵できるように構成されている。５は前記ダストカップ４内に連通するように一端が掃除機本体１に接続されるホースで、可撓性を有している。６は前記ホース５の他端に形成される手元側接続管で、操作パネル７を備えた把持部８が形成されている。前記手元側接続管６には、伸縮自在に構成される延長管９が接続される。
【００２１】
図３乃至図５に示されるように、１０は横長形状の吸込具本体で、底面に吸込口１１が形成されるとともに、前記吸込具本体１０内に、前記吸込口１１に連通される回転ブラシ収納室１２が形成されている。前記吸込具本体１０の後方略中央には、前記回転ブラシ収納室１２に連通され、該吸込具本体１０に対して、上下動自在かつ左右方向に回動自在に構成される回動管１３が配設されている。前記吸込具本体１０及び前記回動管１３によって、床用吸込具１４が構成されており、前記回動管１３を前記延長管９に接続することで、前記延長管９の他端に床用吸込具１４が装着されるようになっている。
【００２２】
１５は前記吸込口１１に臨ませて、前記回転ブラシ収納室１２左右両側壁に回転自在に軸支される第一回転ブラシで、前記回転ブラシ収納室１２の前方側に配置されている。前記第一回転ブラシ１５は、回転軸を有する芯体１６と、該芯体１６の左右両端に嵌着される円柱体１７とで構成される。前記芯体１６外周には、螺旋状に溝が形成されており、該溝にブラシ１８が挿入されている。前記円柱体１７外周には、起毛布Ａが巻き付けられており、床用吸込具１４の移動を容易とするとともに、起毛布Ａによって、被掃除面上の塵埃を除塵することができるようになっている。また、前記第一回転ブラシ１５は、吸込具本体１０内に配設されるモーター（図示せず）によって、図３において反時計方向に回転し、床用吸込具１４を前進させる方向に回転するようになっている。
【００２３】
１９は前記吸込口１１に臨ませて、前記第一回転ブラシ１５に対して略平行となるように、前記回転ブラシ収納室１２左右両側壁に回転自在に軸支される第二回転ブラシで、前記回転ブラシ収納室１２後方側に配設される。前記第二回転ブラシ１９は、回転軸を有する芯体２０と、該芯体２０の左右両端に嵌着される円柱体２１とで構成される。前記芯体２０外周には、前記第一回転ブラシ１５の芯体２０とは逆巻きの螺旋状に溝が形成されており、該溝にブラシ２２が挿入されている。前記円柱体２１外周には、起毛布Ｂが巻き付けられており、床用吸込具１４の移動を容易とするとともに、起毛布Ｂによって、被掃除面上の塵埃を除塵することができるようになっている。前記起毛布Ｂは、前記起毛布Ａよりも床面に対する摩擦抵抗が小さくなるように、摩擦抵抗の小さな素材で形成されている。
【００２４】
前記第一回転ブラシ１５と第二回転ブラシ１９は、夫々のブラシ同士が噛み合うように構成されており、第一回転ブラシ１５の回転に伴って第二回転ブラシ１９が第一回転ブラシ１５とは逆方向に回転するようになっている。
而して、第一回転ブラシ１５が図３において反時計方向に回転すると、第一回転ブラシ１５のブラシ１８と第二回転ブラシ１９のブラシ２２とが噛み合うことにより、第二回転ブラシ１９は第一回転ブラシ１５と逆方向に回転する。起毛布Ａと床面との摩擦抵抗が起毛布Ｂと床面との摩擦抵抗よりも大きくなるように構成されているので、床用吸込具１４には前方へ移動させる推進力が作用する。
【００２５】
この構成により、床面上の塵埃を効率よく掻き上げるとともに、床用吸込具１４に前方へ移動させる推進力が作用するので、使用者の負荷を軽減することができ、使用者の掃除時の操作性を向上させることができる。
【００２６】
尚、上記実施形態では、起毛布Ａは、起毛布Ｂよりも摩擦抵抗の大きな素材で形成されているが、毛の長さや毛の太さを変えることで、起毛布Ａの摩擦抵抗が起毛布Ｂの摩擦抵抗よりも大きくなるように構成してもよい。
【００２７】
また、上記実施形態では、起毛布Ａは、床面に対する摩擦抵抗が起毛布Ｂよりもおおきくなるように構成されているが、図６に示すように、円柱体１７と円柱体２１との径を異ならせ、第一回転ブラシ１５に嵌着される円柱体１７の径の方が大きくなるように構成してもよい。径を大きくすることで、床面に当接する起毛布の毛の数が変わるため、第一回転ブラシ１５による摩擦抵抗の方が第二回転ブラシ１９よりも強くなる。この構成によっても、床用吸込具１４に前方へ移動させる推進力を作用させることができる。また、同じ起毛布を使用することができるので、円柱体１７または円柱体１９に配設する起毛布を間違える等といった製造不良を防止することができる。
【００２８】
さらに、別の実施形態として、ギアなどによって第一回転ブラシと第二回転ブラシの単位時間あたりの回転数を異ならせる減速機を配設する構成としても良い。回転数が多いほうが、推進力が強くなるので、第一回転ブラシの方が第二回転ブラシよりも回転数が多くなるように構成することで、床用吸込具１４に前方へ移動させる推進力を作用させることができる。
【００２９】
この構成によると、起毛布の種類や円柱体の径を変える必要がないため、例えば組み立て時などに、部品を取り違える等といった製造不良を防止することができる。さらに回転数が異なっていることで、第一回転ブラシのブラシと第二回転ブラシのブラシとが擦れ合い、回転ブラシのブラシに塵埃が絡まることを防止することができる。
【００３０】
上記実施形態はすべて、第一回転ブラシ１５及び第二回転ブラシ１９のブラシとして、同じブラシを使用することができる構成であるため、芯体に配設されるブラシは、第一回転ブラシ１５と第二回転ブラシ１９とで同じものを使用することができ、被掃除面上の塵埃を効率よく除去することができる。
この構成により、回転ブラシのブラシの種類を変える必要がないので、回転ブラシの除塵性能を損なうことなく、床用吸込具の推進作用により使用者の負荷の軽減を図ることができる
【産業上の利用可能性】
【００３１】
本発明は、二本の回転ブラシを備えた床用吸込具を有する電気掃除機に広く利用可能である。
【符号の説明】
【００３２】
１    掃除機本体
２    電動送風機
３    集塵室
４    ダストカップ
５    ホース
６    手元側接続管
７    操作パネル
８    把持部
９    延長管
１０  吸込具本体
１１  吸込口
１２  回転ブラシ収納室
１３  回動管
１４  床用吸込具
１５  第一回転ブラシ
１６  芯体
１７  円柱体
１８  ブラシ
１９  第二回転ブラシ
２０  芯体
２１  円柱体
２２  ブラシ
Ａ    起毛布
Ｂ    起毛布
【図１】
2012016470.tif 000003
【図２】
2012016470.tif 000004
【図３】
2012016470.tif 000005
【図４】
2012016470.tif 000006
【図５】
2012016470.tif 000007
【図６】
2012016470.tif 000008